(57)【特許請求の範囲】
【請求項１】
合成スプレッド取引のための方法であって、
クライアントデバイスが、合成スプレッドのヘッジレグに対するヘッジオーダを検出するステップであって、ヘッジオーダは合成スプレッドのためのターゲット価格及び合成スプレッドの稼働オーダから導出され、ヘッジオーダは、電子取引所においてヘッジ価格での実行が未決の非充足の量を含む、ステップと、
クライアントデバイスに関連するインプットデバイスを介して、合成スプレッドのためのターゲット価格を合成スプレッドのための新しいターゲット価格に変更するコマンドを受信するステップと、
クライアントデバイスが、前記新しいターゲット価格に基づいて新しいヘッジオーダのヘッジ価格を決定するステップと、
クライアントデバイスが、ヘッジ価格を前記新しいヘッジオーダのヘッジ価格に変更するために、更新メッセージを電子取引所に投入するステップと
を含む方法。
【請求項２】
前記メッセージを投入するステップが、キャンセル／置換オーダを電子取引所に投入するステップを含む
請求項１に記載の方法。
【請求項３】
前記メッセージを投入するステップが、ヘッジオーダをキャンセルし前記新しいヘッジオーダのヘッジ価格での前記非充足の量に対する新しいヘッジオーダを投入するステップを含む
請求項２に記載の方法。
【請求項４】
合成スプレッドのヘッジレグに対する内部マーケットが、変更前のヘッジオーダのヘッジ価格と前記新しいヘッジオーダのヘッジ価格との間にある
請求項１に記載の方法。
【請求項５】
非充足の量の少なくとも一部が、変更前のヘッジオーダのヘッジ価格と前記新しいヘッジオーダのヘッジ価格との間の、合成スプレッドのヘッジレグに対する内部マーケットにおいて、充足されたという、確認を受信するステップを、更に含む
請求項４に記載の方法。
【請求項６】
前記新しいヘッジオーダのヘッジ価格が、合成スプレッドに対する前記新しいターゲット価格及びユーザパラメータに基づいて、決定される
請求項１に記載の方法。
【請求項７】
ヘッジオーダを、ユーザの好みに従って、合成スプレッドに付属させる
請求項１に記載の方法。
【請求項８】
ヘッジレグに対するマーケットデータに従って決定される、複数の、軸方向に整列した、ヘッジレグに対する価格レベルの、対応する価格レベルに沿って、ヘッジオーダを表すインジケータを表示するステップを更に含む
請求項１に記載の方法。
【請求項９】
インジケータが、ヘッジオーダが前記対応する価格レベルに属するかどうかを示す
請求項８に記載の方法。
【請求項１０】
プロセッサにより実行される際プロセッサに請求項１から９のうちのいずれか一記載の方法を実行させる、命令を格納するコンピュータ読み取り可能記録媒体。
【請求項１１】
プロセッサにより実行される際プロセッサに請求項１から９のうちのいずれか一に記載の方法を実行させる命令により構成されるコンピュータプログラム。
【発明の詳細な説明】
【技術分野】
【０００１】
本出願は、２０１０年７月１４日出願の米国出願第１２／８３６４７４号の優先権を主張するものであり、該出願は参照の上全体として本明細書に組み込まれる。
【０００２】
本発明は、概略、電子取引に関し、特に、合成スプレッド取引のためのヘッジオーダを管理することに関する。
【背景技術】
【０００３】
電子取引システムは、ユーザ（例えば、トレーダ）を（電子取引所、若しくはホスト取引所とも称される）一つ以上の取引所に繋ぐための、一つ以上のネットワーク化されたコンピュータ。サーバ、ゲートウエイ、プロセッサ、及び関連デバイスを有する。取引所は、トレーダ、他の電子取引システム、及び／又は、該取引所で取引されリストされ及び／又は交換された一つ以上の取引可能オブジェクトのための他の取引所からの、オーダを受信しマッチングし処理する一つ以上の集中型コンピュータを有する。取引所は、取引可能オブジェクトのための情報を管理し、リアルタイムの、若しくは実質的にリアルタムの、ストリーミングデータフィード、又は他の適切な形式を介して、情報を供給し、若しくはブロードキャストする。情報は概略、オーダブック及びオーダ処理情報の少なくとも一部を含む。トレーダは、情報を眺めてオーダを投入するための、電子取引所に接続された一つ以上のクライアントデバイスを有し得る。
【０００４】
取引可能オブジェクトは、取引されるイベント、グッズ、ウエア及び／又は、ストック、オプション、フューチャ、商品、通貨、レポ、インデクス、ワレント、それらのデリバティブ、それらのコレクション若しくは組み合わせなどの金融商品の、全てのタイプを含む（が、それらに限定されない）、取引可能、交換可能、さもなければある価格で交換される、アイテム又はアイテムの量を含む。取引可能オブジェクトは、「現実のもの」（すなわち、取引所によりリストされる商品）でも、又は、「合成のもの」（現実の商品の組み合わせ）でもよい。
【０００５】
トレーダは、一つ以上の取引可能オブジェクトのために取引の中に投入する一つ以上の取引ストラテジを用いてもよい。（スプレッドとして知られる）複雑な取引ストラテジは、（完全なマーケット若しくはレグとしても知られる）一つ以上の取引可能なオブジェクトの買い及び／又は売りを、同時に、又は実質的に同時に、含む。スプレッドは、交換定義の若しくは合成のものでよく、交換定義のスプレッドは全体としてリストされ価格付けされ、合成スプレッド及びそのパラメータは、一般的にトレーダにより特定される。スプレッドは、商品間でも商品内でもよく、バタフライ、ベア、ブル、カレンダ、クラック、水平、鉛直、基礎、バンドル、ストリップ、スタッドル、ストラングル及び対比スプレッドを含む。
【０００６】
トレーダは、取引ツールを用いて、情報を蓄積して提示し、スプレッドのパラメータを規定し、ターゲットスプレッド価格を選択し、オーダを投入し、稼働オーダを再価格化し若しくは再引用し、ヘッジのため内部マーケット内の交換に応答してターゲットスプレッドに到達し得る。取引ツールは、トレーダのパラメータ及び／又は取引ストラテジに基づいて、ヘッジレグの内部マーケットにおけるヘッジレグのためのヘッジオーダを送信することもできる。ヘッジオーダが受信され実行される前に、ヘッジオーダのための内部マーケットが変化せず、ヘッジオーダのために利用可能な十分な量があれば、ヘッジオーダは満たされ得る。内部マーケットにて利用可能な量を超えるヘッジオーダの部分は、満たされ得ない。更に、内部マーケットが変化すれば、ヘッジオーダは満たされ得ず、たとえあったとしても、少なくとも即座には満たされない。この場合、トレーダ、及びスプレッドは、レグされると言われる。ヘッジオーダの少なくとも一部（即ち、レグ）が満たされなかったからである。
【０００７】
時々、トレーダは、ターゲットスプレッド価格を変更若しくは調整してもよく、又は、レグされたスプレッドのために変更若しくは調整してもよい。稼働するオーダ、ヘッジオーダ、並びに、稼働の及びヘッジのオーダのフィル（充足）は、レポートされなくてもよく、追跡されなくてもよく、管理されなくてもよく、投与されなくてもよく、若しくはスプレッド取引ストラテジの部分として記録されなくてもよいので、トレーダは、レグされたオーダの説明責任を負う必要があってもよい。即ち、トレーダは、レグされたオーダを調整し及び／又はキャンセル／置換して、変更されたターゲットスプレッド価格とマッチする必要があってもよい。この場合、トレーダは、スプレッドのパラメータ以外の新しいターゲットスプレッド価格に基づいて、レグされたオーダに対する新しい価格を再計算する必要があってもよい。よって、多数の時間を消費するステップ及びリソースが、トレーダが新しいターゲットスプレッド価格に到達するのに必要である。
【先行技術文献】
【特許文献】
【０００８】
【特許文献１】米国特許番号第６，７７２，１３２号
【特許文献２】米国特許番号第６，９３８，０１１号
【特許文献３】米国特許番号第７，１２７，４２４号
【特許文献４】米国特許番号第７，３８９，２６８号
【特許文献５】米国特許番号第７，２２８，２８９号
【特許文献６】米国特許番号第７，４３７，３２５号
【特許文献７】２００９年１１月１４日出願の米国特許出願番号第１２／６３７，５１７号
【特許文献８】２００９年１１月１４日出願の米国特許出願番号第１２／６３７，５３６号
【特許文献９】米国特許第７，４３７，３２５号
【特許文献１０】２００４年３月１９日出願の米国特許出願第１０／８０４，６３１号
【特許文献１１】米国特許第７，３８９，２６４号
【特許文献１２】米国特許第７，４２４，４５０号
【特許文献１３】２００９年３月２５日出願の米国特許出願第１２／４１０，７５９号
【特許文献１４】米国特許第７４３７３２５号
【発明の概要】
【発明が解決しようとする課題】
【０００９】
従って、トレーダが合成スプレッド取引ストラテジを利用することの助力を改善するツールが望まれる。
【課題を解決するための手段】
【００１０】
合成スプレッド取引のためのヘッジオーダを管理することは、方法、システム及び装置を含む。
【００１１】
合成スプレッド取引のためのヘッジオーダを管理するための実施形態では、合成スプレッドのためのヘッジオーダが、ヘッジオーダが派生した合成スプレッドに付属するものとして、若しくは分離するものとして、考慮されてもよい。例えば、合成スプレッドのトレーダは、取引ツールを用いて合成スプレッドのためのパラメータを設定でき、この場合一つ以上のレグが合成スプレッドに付属するものとして若しくは分離するものとして特定される。合成スプレッドが投入された後、ヘッジオーダが実行未決でもよく、若しくはレグされるものとして考慮されてもよい。実行未決の付属するヘッジオーダは、未決のヘッジオーダが派生した合成スプレッドオーダへの調整に応じて、調整され得る。例えば、合成スプレッドから派生した実行未決のヘッジオーダに対する価格は、ヘッジオーダが未決である間、合成オーダ内の変更に応じて、変化し得る。付属しないヘッジオーダは、未決のヘッジオーダが派生した合成スプレッドオーダへの変更及び／又は調整によっては、影響され得ない。
【００１２】
合成スプレッドのヘッジレグに対するヘッジオーダは、クライアントデバイス、取引デバイス、又は、プロセッサを有し及び／若しくは電子オーダをモニタし且つ管理するように構成可能である任意の他のデバイスなどによって、検出され得る。ヘッジオーダは、ヘッジオーダが基礎とする、合成スプレッドに対するターゲット価格、及び合成スプレッドの稼働オーダに基づいて、導出され若しくは生成される。ヘッジオーダは、ヘッジオーダの元の量の一部若しくは全部に対して、電子取引所において実行未決であってもよい。例えば、ヘッジオーダは、ヘッジ価格にて電子取引所で実行未決である、非充足の量のためのものである。
【００１３】
合成スプレッドが取引のために入力され及び／又は投入された価格は変更され得る。例えば、合成スプレッドのためのターゲット価格を変更し若しくは調整するコマンドが受信され得る。コマンドは、クライアントデバイスに関するインプットデバイスを介してクライアントデバイスにより受け取られ得る。コマンドは、合成スプレッドに対する価格の変更を、合成スプレッドに対する新しいターゲット価格に初期化するように構成され得る。クライアントデバイスは、新しいヘッジオーダ価格を決定し得る。新しいヘッジオーダ価格は、新しいターゲット価格に基づいて決定され得若しくは計算され得、更新メッセージは、電子取引所に投入されヘッジ価格を新しいヘッジ価格に変更する。
【００１４】
或る実施形態では、キャンセル／置換オーダなどにより、メッセージは、ヘッジオーダをキャンセルし得、新しいヘッジ価格における新しいヘッジオーダでヘッジオーダを置換し得る。別途の若しくは更なる実施形態では、メッセージは、ヘッジオーダのヘッジ価格を新しいヘッジ価格に変更するスクリプトを含む。ヘッジレグのための内部マーケットがヘッジオーダ価格及び新しいヘッジオーダ価格の間にあることに応じて、ヘッジオーダの非充足の量の一部若しくは全部が、その内部マーケットにて充足されてもよい。
【００１５】
一つの実施形態では、新しいヘッジオーダ価格は、合成スプレッドに対する新しいターゲット価格及び合成スプレッドに対するユーザの好みに基づいて、決定される。ユーザパラメータは、クライアントデバイスによりインプットされ格納され得る。ユーザパラメータは、合成スプレッドが入力され若しくは投入される前に又は後に。インプットされてもよい。パラメータは、付属する／分離する合成スプレッドを特定することを含んでもよく、付属するものとして／分離するものとして合成スプレッドのレグの全て若しくは一部を含んでもよい。
【００１６】
一つの実施形態では、クライアントは、合成スプレッドに対する価格を表示するための、モニタなどの一つ以上のディスプレイを含む。更に若しくは一方で、ディスプレイは、個々のレグに対して電子取引所から受信されたマーケット情報に基づく又は該マーケット情報から派生する合成スプレッドの一部若しくは全部のレグに対する価格を表示してもよい。合成スプレッドに対する価格は、合成スプレッドの個々のレグに対するマーケット情報に基づくものであり若しくはそこから導出されるものであり、ユーザパラメータに基づくものでもよい。価格は、価格軸若しくははしごを形成するように軸方向に整列して表示されてもよい。合成スプレッドのための合成スプレッドオーダインジケータは、ヘッジ価格に対応する価格レベルにて、合成スプレッドのための軸方向に整列された価格に沿って表示され得る。ヘッジオーダインジケータは、ヘッジ価格に対応するレジレグに対する軸方向に整列された価格に沿って表示され得る。インジケータは、ヘッジオーダが付属するかどうか区別し得る。インジケータは、ヘッジオーダに関連する量を特定することもできる。
【００１７】
本発明の他の実施形態を以下に記載する。更に、本発明の精神及び範囲から乖離すること無く、記載する実施形態に対して修正が為され得る。
【図面の簡単な説明】
【００１８】
合成スプレッドのためのヘッジオーダを管理することは、例示の実施形態により記載され示されているが、該例示の実施形態は添付の図面により限定されない。同じ符号を含む図面は、同じ要素を示す。
【図１】合成スプレッド取引のためのヘッジオーダを管理する例示の電子取引環境を示す。
【図２】合成スプレッド取引を促進する例示の方法のフローチャートを示す。
【図３】合成スプレッド取引のための取引を満たして実行する例示の方法のフローチャートを示す。
【図４】合成スプレッド取引のためのブロック図を示す。
【図５】合成スプレッドのためのスプレッドウインドウディスプレイ、及び、合成スプレッドの構成レグを示す。
【図６】引用オーダが満たされ子ヘッジオーダがレグされた後の、合成スプレッドのためのスプレッドウインドウディスプレイを示す。
【図７】引用オーダが満たされ、少なくとも一つの対応するヘッジオーダが満たされず、更に合成スプレッドのための価格が調整された後の、合成スプレッドのためのスプレッドウインドウディスプレイを示す。
【図８】スプレッド構成ウインドウの例を示す。
【発明を実施するための形態】
【００１９】
図１は、合成スプレッド取引のためのヘッジオーダを管理する例示の電子取引環境を示す。電子取引環境は、クライアントデバイス１０２、ゲートウエイ１０６、電子取引所１０４、及びルータ１０８を含む。クライアントデバイス１０２は、情報の通信のためのゲートウエイ１０６などの一つ以上のデバイスを介して、電子取引所１０４と動作自在に結合する。ルータ１０８は、ゲートウエイ１０６と電子取引所１０４との間でメッセージを送るように構成される。
【００２０】
電子取引所１０４は、取引のための一つ以上の取引可能オブジェクトをリストし得る。電子取引所１０４は、少なくとも一つのプロセッサ若しくは中央コンピュータを含む。電子取引所１０４は、クライアントデバイス１０２からのオーダを受信し反対のオーダに対してオーダをマッチするように構成される。即座にはマッチしない、取引可能オブジェクトのためのオーダは、取引可能オブジェクトのためのマッチアルゴリズムに従って、オーダマッチのためのオーダブック内に格納されて配置され得る。電子取引環境は、図１に関連して記載される、同一の、更なる若しくは別途の特性を有する、種々の電子取引環境を含み得る。図１の例示の実施形態は、電子取引と必ずしも関連しないコンピュータプログラム及び／又はシステム（例えば、オペレーティングシステム、ゲームシステム、及び／又は、他のソフトウエアアプリケーション）などの、特性を有する電子取引環境を示す。
【００２１】
電子取引所１０４は、電子取引所１０４にて係属するオーダやマッチしたオーダに関連する情報を配布してもよい。情報は、配布されてもブロードキャストされてもよく、最新の内部マーケットを示すデータ（例えば、最下売り価格（ベストアスク）及び最上買い価格（ベストビッド））を含んでもよい。情報は、マーケットの深さの全てを含んでも一部を含んでもよく、該マーケットの深さは、内部マーケットにて利用可能な取引可能オブジェクトの量、及び／又は、内部マーケットから離れた若しくは外部の価格で利用可能な取引可能オブジェクトの量を、それらの量が利用可能な程度まで、含んでもよい。情報は、ニュース、チャートデータ、及び／又は、取引所若しくは他のデータソースからのオーダ関連情報を、含んでもよい。
【００２２】
価格レベルで利用可能な量は、総計で与えられてもよく、そこでは、価格レベルでマーケット内にて利用可能なトータルの買い量及びトータルの売り量が与えられる。マーケットの深さが与えられる程度は、概略、ボリュームなどの、取引所及び／又は他のパラメータに依存する。最新取引価格（ＬＴＰ）、最新取引量（ＬＴＱ）、及び他の充足情報などの、他のタイプの情報も与えられてもよい。（オーダ実行、及び、オーダ完了とも称される）オーダ充足に関連する情報が、マーケットデータと称されてもよい。
【００２３】
クライアントデバイス１０２は、マルチプルワークステーション若しくはネットワークデバイスなどの一つ以上のデバイスであればよく、一つ以上のアプリケーションを実行し得る。クライアントデバイス１０２の例は、一つ以上のメインフレーム、デスクトップ、ノートブック、タブレットＰＣ、ハンドヘルド、パーソナルデジタルアシスタント、スマートフォン、サーバ、ゲートウエイ、それらの組み合わせ、又は、一つ以上のプロセッサ若しくは中央処理ユニットを備える他のコンピュータデバイスを、含む。例えば、クライアントデバイスは、ペンティアム（登録商標）クラスプロセッサを含んでもよく、ウインドウズ（登録商標）若しくはＭＡＣ  ＯＳオペレーティングシステムのうちの一つ以上を用いてもよく、一つ以上のメモリ若しくはデータストレージデバイス、通信ネットワークからデータを受信するデータインプットインターフェース、キーボード、トラックボール、ペンデバイス、マイクロフォン、凝視検出デバイス、クリックベースの取引のためのマウス及び／又はユーザからインプットを受信するように構成された他のデバイスなどの、一つ以上のインプットデバイスからインプット信号を受信するインプットインターフェース、並びに、情報を提示するのに適した少なくとも一つのアウトプットデバイス（例えば、モニタ若しくはディスプレイデバイス、オーディオデバイス、若しくは、それらの組み合わせ）と通信するアウトプットインターフェースを含み得る。
【００２４】
クライントデバイスは、一つ以上の取引所若しくは他のソースからのマーケット情報を受信して表示し得る。例えば、表示ディスプレイは、ＣＲＴベースのビデオディスプレイ、ＬＣＤベースの若しくは気体プラズマベースのフラットパネルディスプレイ、三次元画像を示すディスプレイ、及び／又は、点字アウトプットデバイス若しくは他のタイプのアウトプットデバイス若しくはメカニズムを、含み得る。ディスプレイデバイスは、ユーザと情報の間にインターアクションを与えるインプットデバイスを含む。
【００２５】
クライアントデバイス１０２は、ユーザ若しくはトレーダにより用いられ取引のため一つ以上の取引可能オブジェクトに対して一つ以上のオーダを投入し得る。オーダは、新しいオーダを配置し若しくは投入し、現存のオーダをキャンセルし、現存のオーダを変更し、一つ以上の取引可能オブジェクトのためのオーダ若しくはオーダブックに関するクエリを起動し、取引所、それらの組み合わせとの接続をテストし、又は、通信を行うために、命令若しくはメッセージを含んでもよい。トレーダは、キーボード、マウス、又は、ディスプレイのエリア若しくはディスプレイにより制御されるエリアをタッチし若しくはコントロールする、ディスプレイの一部であるポインティングデバイスを含む、クライアントデバイスと関連する一つ以上のインプットデバイスを用いて、一つ以上のコマンドを供給することなどにより、オーダを送信してもよい。クライアントデバイス１０２は、ユーザインプットに応じてトランザクション情報を生成でき、該トランザクション情報は一つ以上の取引所に送信され得る。
【００２６】
実行スプレッド取引のためのヘッジオーダを管理するアクトを実行する命令は、不揮発媒体、揮発媒体、並びに、フロッピーディスク、フレキシブルディスク、ハードディスク、磁気テープ、パンチカード、ＣＤ−ＲＯＭ、ＲＡＭ、ＰＲＯＭ、ＥＰＲＯＭ、ＦＬＡＳＨ−ＥＰＲＯＭ及び他のメモリチップ若しくはカートリッジ、又はコンピュータが読み取れる媒体を含む伝送媒体などの、コンピュータ読み取り可能媒体上に、格納されても又は別途記録されてもよい。プロセッサは、利用可能なマーケット情報のための、及びアクトを実行するための十分な処理容量を備えるのが望ましい。例示の実施形態では、ソフトウエアは、マーケット情報を眺め、オーダをエントリして投入し、マーケット指し値を取得し、ポジションをモニタするための、クライアントデバイス１０２の関連するディスプレイデバイス上の、インターアクティブ取引スクリーンを作成できる。更に若しくは一方で、クライアントデバイスは取引を自動化できる。
【００２７】
これらの取引ツールの例は、Ｘ＿ＴＲＡＤＥＲ（登録商標）としてＣｈｉｃａｇｏ、ＩｌｌｉｎｏｉｓのＴｒａｄｉｎｇ  Ｔｅｃｈｎｏｌｏｇｉｅｓ  Ｉｎｔｅｒｎａｔｉｏｎａｌ，Ｉｎｃ．から利用可能であり、それらは、ＭＤ  Ｔｒａｄｅｒ（登録商標）と称される、電子取引インターフェースも提供する。Ｘ＿ＴＲＡＤＥＲ（登録商標）及びＭＤ  Ｔｒａｄｅｒ（登録商標）スタイルディスプレイの部分は、米国特許番号第６，７７２，１３２号“Ｃｌｉｃｋ  Ｂａｓｅｄ  Ｔｒａｄｉｎｇ  Ｗｉｔｈ  Ｉｎｔｕｉｔｉｖｅ  Ｇｒｉｄ  Ｄｉｓｐｌａｙ  ｏｆ  Ｍａｒｋｅｔ  Ｄｅｐｔｈ”（特許文献１）、米国特許番号第６，９３８，０１１号“Ｃｌｉｃｋ  Ｂａｓｅｄ  Ｔｒａｄｉｎｇ  ｗｉｔｈ  Ｍａｒｋｅｔ  Ｄｅｐｔｈ  Ｄｉｓｐｌａｙ”（特許文献２）、米国特許番号第７，１２７，４２４号“Ｃｌｉｃｋ  Ｂａｓｅｄ  Ｔｒａｄｉｎｇ  Ｗｉｔｈ  Ｉｎｔｕｉｔｉｖｅ  Ｇｒｉｄ  Ｄｉｓｐｌａｙ  ｏｆ  Ｍａｒｋｅｔ  Ｄｅｐｔｈ  ａｎｄ  Ｐｒｉｃｅ  Ｃｏｎｓｏｌｉｄａｔｉｏｎ”（特許文献３）、米国特許番号第７，３８９，２６８号“Ｔｒａｄｉｎｇ  Ｔｏｏｌｓ  Ｆｏｒ  Ｅｌｅｃｔｒｏｎｉｃ  Ｔｒａｄｉｎｇ”（特許文献４）、及び、米国特許番号第７，２２８，２８９号“Ａ  Ｓｙｓｔｅｍ  ａｎｄ  Ｍｅｔｈｏｄ  ｆｏｒ  Ｔｒａｄｉｎｇ  ａｎｄ  Ｄｉｓｐｌａｙｉｎｇ  Ｍａｒｋｅｔ  Ｉｎｆｏｒｍａｔｉｏｎ  ｉｎ  ａｎ  Ｅｌｅｃｔｒｏｎｉｃ  Ｔｒａｄｉｎｇ  Ｅｎｖｉｒｏｎｍｅｎｔ”（特許文献５）、米国特許番号第７，４３７，３２５号“Ｓｙｓｔｅｍ  ａｎｄ  Ｍｅｔｈｏｄ  ｆｏｒ  Ｐｅｒｆｏｒｍｉｎｇ  Ａｕｔｏｍａｔｉｃ  Ｓｐｒｅａｄ  Ｔｒａｄｉｎｇ”（特許文献６）、２００９年１１月１４日出願の米国特許出願番号第１２／６３７，５１７号“Ｓｙｎｔｈｅｔｉｃ  Ｓｐｒｅａｄ  Ｔｒａｄｉｎｇ”（特許文献７）、及び、２００９年１１月１４日出願の米国特許出願番号第１２／６３７，５３６号“Ｃｏｖｅｒ−ＯＣＯ  Ｏｒｄｅｒｓ  ｆｏｒ  ａ  Ｌｅｇｇｅｄ  Ｏｒｄｅｒ”（特許文献８）に記載され、これらの各々の内容は参照の上本明細書に完全に組み込まれる。更に若しくは別途に、他の取引ツールが、マーケットデータを眺め及び／又はオーダを配置するのに、用いられてもよい。更に、好適な実施形態は、移転、格納及び表示の機能を実行する特定の商品に限定されない。システムバス、若しくは、均等物は、通信を提供し得る。
【００２８】
ゲートウエイ１０６は、一つ以上のプロセッサ若しくは中央処理ユニット、メモリ若しくはデータ格納デバイス、通信インターフェース、ユーザインプットインターフェース、及びアウトプットインターフェースを備えるコンピュータデバイスであればよい。ゲートウエイ１０６はデータベースを含んでもよいしアクセスしてもよい。ゲートウエイは、一つ以上のゲートウエイアプリケーションを実行してもよく、ゲートウエイ１０６はクライアントデバイス１０２のアプリケーションプログラムを実行してもよく、及び／又は、ゲートウエイアプリケーションは、クライアントデバイス１０２により実行されてもよい。
【００２９】
電子取引環境は、トレーダが取引できる一つ以上の電子取引所１０４を含んでもよい。クライアントデバイス１０２は、一つ以上のゲートウエイ１０６、及び／又は、多重の電子取引所へのアクセスを提供する組み合わせゲートウエイを介して一つ以上の電子取引所１０４とアクセスし得る。更に若しくは別途、ルータ１０８は、ゲートウエイ及び電子取引所の間でデータをルート付けし得る。
【００３０】
II．スプレッドトレード
概略、多重の取引可能オブジェクトに関与する複雑な取引ストラテジは、スプレッドと称される。取引可能オブジェクトの各々、又は個々の取引可能オブジェクトのためのオーダ若しくは潜在的オーダは、レグ若しくはアウトライトと称され得る。スプレッドのためのオーダ若しくは取引は、買い若しくは売りと考えられ得るが、買いはスプレッドのどのレグが買われるか――通常第１の若しくはフロントレグ――を定義し、売りはどのレグが売られるか――通常第１の若しくはフロントレグ――を定義する。
【００３１】
スプレッドは、スプレッドの他のレグとの関連で個々のレグの量を粗雌、スプレッド比率などの、取引可能オブジェクト間の、規定された若しくは周知の関係に基づくものであればよい。例えば、レグＡ及びＢを有するスプレッドが３：２の比で定義され、レグＡの３ユニットが買われレグＢの３ユニットが売られることがある。スプレッド比は暗示され若しくは黙示的であり、取引ストラテジのレグのためのスプレッド比は明確には示されないが、“１”若しくは“−１”に暗示され若しくはデフォルトとされる（正の分類は買いレグを示し負の分類は売りレグを示す）
【００３２】
スプレッドの一つ以上のレグは、価格関係のための乗数も有し得る。乗数は、スプレッド比と同じでも異なってもよい。例えば、レグＡに係る乗数は“２”であり、レグＢに係る乗数は“−３”でよく、それらの両方はレグのための対応するスプレッド比とマッチする。
【００３３】
例では、取引ストラテジは“Ｎ”レグを含み、この場合、個々のレグのための取引可能オブジェクト間の関係は、スプレッド比と個々のレグに関連する乗数により、規定される。ストラテジ価格、若しくはターゲット価格は、取引価格の規定に従って決定されてもよい。価格は、レグの各々に対して乗数を乗じられた、取引可能オブジェクトの価格の合計であると考えられ、以下のようになる。
【数１】
0005925203.tif 000002
ここで、Ｍｉｌｔｉ（ｉ）はレグｉに関連する乗数であり、Ｐｒｉｃｅ（ｉ）はレグｉに対する取引可能オブジェクトのための価格である。当業者は、取引ストラテジのための価格は価格チック丸め及び／又は支払いチックにより、影響され得ることも認識するであろう。
【００３４】
個々のレグのためのオーダは、取引ストラテジにより規定されるパラメータ及び／又は関係によって、投入され得る。例として、レグＡの一つのユニットのためのマーケットが４５の価格を有し、レグＢのためのマーケットが４０の価格で一つのユニットを有する。上式（数１）を用いて、現下のスプレッド価格は、（１）（４５）＋（−１）（４０）＝５となる。よって、スプレッドの１ユニットを買うトレーダは、４５の価格でレグＡの１ユニットを買い、４０で１ユニットを売る。
【００３５】
レグＡの価格が４２でありレグＢの価格が３５であるような、標準的な価格差が修復されるならば、スプレッドの価格は１０となる。トレーダが相殺取引をするためにスプリットの１ユニットを売る（即ち、レグＡの１ユニットを売りレグＢの１ユニットを買う）ならば、トレーダは総取引に関して得をすることもある。即ち、トレーダが４５でレグＡを買い４２で売るならば３を失い、また、トレーダが４０でレグＢを売り３２で買うならば８の利益となる。よって、トレーダは、スプレッドの買い及び売りに関して５を為した。
【００３６】
概略、スプレッドストラテジは、ストラテジに従って取引を管理する自動化スプレッド取引ツールを用いて適切価格で一つ以上のレグを買い及び／又は売るという所望の価格に基づき得る。例えば、トレーダは、（所望のストラテジ価格、所望にスプレッド価格、所望の価格及び／又はターゲット価格とも称される）価格で取引ストラテジを買い若しくは売るために、オーダをエントリし得、自動化取引ツールは取引可能オブジェクトの少なくとも一つに対して（指し値若しくは稼働オーダとも称される）オーダを自動的に配置し得る。
【００３７】
オーダが配置されるレグは、指し値レグと称され、他のレグはリーンレグ及び／又はヘッジレグと称される。指し値レグが引用される、若しくは稼働する価格は、ヘッジレグ内にてオーダが充足し得る最良価格に基づくものであり、それは通常、ヘッジレグ及び／又は、内部マーケットにて存する。即ち、最良価格は、売り時のヘッジレグの最良の買い唱え値であり、買い時のヘッジレグの最良の売り呼値である。ヘッジレグの最良の価格は、価格へのリーン、リーン価格、若しくはリーンレベルとしても知られている。取引ストラテジは、スプレッドの単一の指し値レグにて若しくは多重の（若しくは全ての）レグにて囲繞され、ここで個々の引用されたレグは、スプレッドの他のレグの少なくとも一つに依存する。引用されたレグの一つが充足されると、他の引用されたレグ内のオーダは、通常キャンセルされ適切なヘッジオーダが配置される。
【００３８】
価格へのリーンが変化すると、指し値レグ内のオーダに対する価格は、所望のストラテジ価格を維持するためにも変化することがあり、及び／又は、限度内にあるヘッジレグ内の変化によって変化することがあり、又は、限度内の指し値レグへの変化となる。指し値レグが充足すると、自動取引ツールは、オフセッティング若しくはヘッジングオーダとも称される、ストラテジを完了させるためのヘッジレグ内のオーダを、投入できる。  
【００３９】
引用されたレグの価格は、再び若しくは一方で、スプレッドの他のレグの全てに満たないものに基づいてもよい。引用されたレグ内のオーダのオーダパラメータは、最新取引価格（ＬＴＰ）、最新取引量（ＬＴＱ）、理論値、内部マーケットにより近い量などの多重量、若しくは他の参照点などの、他のレグ内の他のタイプのマーケット条件に依存し得る。
【００４０】
指し値レグが充足するが、ヘッジレグの少なくとも一つが充足できないとき（若しくは取引ストラテジの所望の価格に到達するべく十分に充足するとき）、スプレッドはレグされると決定し得る。ヘッジオーダが入力される前にヘッジのための内部マーケットが離れたのでヘッジレグは充足し得ないのであり、及び／又は、内部マーケットにてオーダを充足する十分なボリュームは存在し得ない。
【００４１】
ＩＩＩ．スプレッド取引ツール
合成スプレッドの個々のレグのためのオーダを含む、合成スプレッドのためのオーダ及び充足は、トレーディングテクノロジインターナショナルインク（Ｔｒａｄｉｎｇ  Ｔｅｃｈｎｏｌｏｇｉｅｓ  Ｉｎｔｅｒｎａｔｉｏｎａｌ，  Ｉｎｃ）のＡｕｔｏｓｐｒｅａｄｅｒ（登録商標）などの、一つ以上のスプレッド取引ツールを介して、管理され、蓄積され、記録され、ビューされるなどが可能である。スプレッド取引ツールは、スプレッド及びそのレグのためのマーケット情報を眺め、レグ（アウトライト若しくは稼働オーダ）を取引し及び／又は一つ以上のレグ内にオーダを送信するストラテジを管理するのに、用いられ得る。
【００４２】
スプレッド取引ツールは、その構成するレグ及びスプレッドパラメータのための情報に基づいてスプレッドデータも生成し得る。データは、グラフィカルユーザインターフェースマネジャ（“ＧＵＩマネジャ”）などのビジュアル形式でフォーマット化され提示され得る。即ち、スプレッドのためのデータ及び／又はスプレッドの一つ以上のレグのためのデータが、スプレッドのための一つ以上のウインドウで、及び／又は、ＧＵＩを用いて、表示され得る。スプレッドのためのデータ及び個々のレグのためのデータは、同じ若しくは異なるウインドウで、表示され得る。スプレッドウインドウ内に取引のためにオーだが入力若しくは投入され得、スプレッド取引ツールは、スプレッドに係る対応するオーダを投入し及び／又は投入を開始し、スプレッドの所望の若しくはターゲットの価格を取得する。
【００４３】
スプレッド取引ツールの例示は、米国特許第７，４３７，３２５号“Ｓｙｓｔｅｍ  ａｎｄ  Ｍｅｔｈｏｄ  ｆｏｒ  Ｐｅｒｆｏｒｍｉｎｇ  Ａｕｔｏｍａｔｉｃ  Ｓｐｒｅａｄ  Ｔｒａｄｉｎｇ”（特許文献９）、２００４年３月１９日出願の米国特許出願第１０／８０４，６３１号“Ｓｙｓｔｅｍ  ａｎｄ  Ｍｅｔｈｏｄ  ｆｏｒ  Ｅｓｔｉｍａｔｉｎｇ  ａ  Ｓｐｒｅａｄ  Ｖａｌｕｅ”（特許文献１０）、米国特許第７，３８９，２６４号“Ｓｙｓｔｅｍ  ａｎｄ  Ｍｅｔｈｏｄ  ｆｏｒ  Ｐｅｒｆｏｒｍｉｎｇ  Ａｕｔｏｍａｔｉｃ  Ｓｐｒｅａｄ  Ｔｒａｄｉｎｇ”（特許文献１１）、米国特許第７，４２４，４５０号“Ｓｙｓｔｅｍ  ａｎｄ  Ｍｅｔｈｏｄ  ｆｏｒ  Ｐｅｒｆｏｒｍｉｎｇ  Ａｕｔｏｍａｔｉｃ  Ｓｐｒｅａｄ  Ｔｒａｄｉｎｇ”（特許文献１２）、２００９年３月２５日出願の米国特許出願第１２／４１０，７５９号“Ｓｙｓｔｅｍｓ  ａｎｄ  Ｍｅｔｈｏｄｓ  ｆｏｒ  Ｍｕｌｔｉｐｌｉｅｒ−Ａｄｊｕｓｔｅｄ  Ｌｅａｎ  Ｌｅｖｅｌｓ  ｆｏｒ  Ｔｒａｄｉｎｇ  Ｓｔｒａｔｅｇｉｅｓ”（特許文献１３）に開示されており、それらの全ては参照の上本明細書に組み込まれる。他のスプレッド取引オーダが用いられてもよく、前述の実施形態は特定の商品に限定されない。
【００４４】
図２は、スプレッド取引を促進する例示の方法のフローチャート２００を示す。方法は例示であり、より多い若しくはより少ないアクトを含んでよく、図示のものとは異なるオーダを発生してもよい。例示の実施形態では、マーケット情報フィードは、一つ以上の取引可能オブジェクトのための一つ以上の取引所から受信される２１０。マーケット情報は、通常、価格、オーダを含み、一つ以上の取引可能オブジェクトのための充足情報、取引可能オブジェクトのための内部マーケットを含んでもよく、最高買い唱え値（ＨＢＰ）及び最低売り呼値（ＬＡＰ）を含む、更に、最新の買い唱え値及び売り呼値、並びに、“マーケット深さ”と称される他の価格のマーケットの量を含み得る。情報は、マーケット深さの全て若しくは一部を含み得る。
【００４５】
スプレッドデータは、ユーザの好みによって、構成され、確立され、及び／又は、提示されてもよい２１２。例えば、ユーザは、レグのためのマーケットからのビッド及びオファ並びにスプレッド設定パラメータに基づいて、スプレッド価格及びスプレッドマーケット深さの概算をカスタマイズし得る。ユーザは、現存のスプレッドを再構成し、及び／又は、スプレッドのためのレグを選択することで新しいスプレッドを創作して構成してもよい。構成ウインドウ内のスプレッド設定パラメータによって、レグが選択され、スプレッドが構成されてもよい。更に又は別途、ユーザは、レグ間の関係、レグのためのオーダ投入、及び／又は、レグのためのオーダの管理を、決定してもよい。
【００４６】
スプレッド取引ツールは、マーケット情報及びマーケット設定パラメータに基づいて、スプレッドデータ２１４を生成してもよい。スプレッドデータは、スプレッド価格及びスプレッド深さを含み得る。スプレッドデータは、最新取引価格（ＬＴＰ）及び／又は最新取引量（ＬＴＱ）、更には、オープン、クローズ、合意、デイリの高／低、周期的高、マーケット深さ、マーケットスナップショットなどの他の項目を、含んでもよい。データは、パラメータに従って含まれても、ユーザにより特定され若しくは選択されても、マーケットデータフィードが生じた取引所の限定であっても、よい。スプレッドデータを生成することは、リアルタイムで、若しくは実質的にリアルタイムで発生してよく、その場合、マーケットからリレーされる情報は実行可能な限りユーザに提示される。例えば、情報は、情報を表示するための十分な且つ合理的な時間量の範囲内で処理されて提示される。更に若しくは別途、スプレッドデータは、周期的時間で、若しくは準周期的時間で生成され得る。
【００４７】
スプレッドウインドウが生成されて表示される２１６。該スプレッドウインドウは、スプレッドの個々の対応するレグに対するウインドウを含んでもよい。スプレッドウインドウは、ＬＴＰ／ＬＴＱに加えて、スプレッド価格及びトータル量に対するインジケータを含んでもよい。
【００４８】
スプレッドのためのオーダ、及びそのレグは、所望の量に対してターゲット価格でスプレッドウインドウ内に入力されてもよい。例では、インプットインジケータ（例えば、カーソル）に、所望の量及び／又はターゲット価格に対してカーソルを配置させるマウス、ライトペン、それらの組み合わせなどの、一つ以上のインプットデバイスを操作することにより、オーダが入力される。所望の量は、更に若しくは別途、予めセットされても、予め規定されても、予め決定されても、若しくは予め選択されてもよい。
【００４９】
図３は、合成スプレッド取引を充足し実行する例示の方法のためのフローチャートを示す。方法は例示であり一つ以上のアクトを含んでもよく、例示と異なるオーダを発生してもよい。例示では、一つのレグのためのオーダが取引所にて稼働しており（値付けしており若しくは値付けされており）、第１の取引可能オブジェクトに対応している。値付けするオーダに対する、取引所における完全な若しくは部分的な充足、マッチ若しくは実行が検出され３２０、ヘッジオーダが判定される３２２。値付けするオーダの充足に応じて、ヘッジオーダが３２４にて生成され、ヘッジオーダの取引可能オブジェクトに対して取引所に送信される。ヘッジオーダのための電子取引所は、同じ電子取引所でも異なる電子取引所でもよい。ヘッジオーダ価格などのヘッジオーダのためのオーダパラメータは、スプレッド価格に達するように決定され得る。
【００５０】
図４は、合成スプレッド取引システム４００のためのブロック図を示し、該合成スプレッド取引システム４００は、アプリケーションプログラムインターフェース（ＡＰＩ）４３２、取引所４３０、ＡＰＩ４３２とクライアントデバイスの間の通信４２８、及び、ＡＰＩ６０６間の通信４３４を、備える。通信４３４、４２８は、ＡＰＩ４３２により概略変換される取引可能オブジェクトに関する情報及びデータを含み得る。ＧＵＩマネジャ４４２は、ユーザからコマンドを受信するためのインプットデバイスで使用されてもよい。システムは一般に、取引所及びクライアントデバイスの数において、制限は無い。
【００５１】
クライアントデバイス４３６は更により詳細なブロック図を示し、該ブロック図は、取引アプリケーション４３８、自動スプレッダ４４０、及びＧＵＩマネジャ４４２を備えており、それらのうちの全て若しくは一部は、ソフトウエア、ハードウエア、若しくはそれらの組み合わせにより実装され得る。より少ない若しくはより多いコンポーネントが包含されてもよく、取引アプリケーション４３８及び自動スプレッダ４４０は、クライアントデバイス４３６若しくは他のデバイス上でホストされてもよく、同じ若しくは異なるクライアントデバイス４３６上での同じソフトウエアでも独立のソフトウエアでもよい。
【００５２】
自動スプレッダ４４０は、一つ以上の取引可能オブジェクトのためのマーケット情報に基づいてスプレッドデータを生成し、スプレッドウインドウ内に情報を提供する。スプレッドデータは、スプレッド価格及びマーケット深さを含んでよく、最新取引価格（ＬＴＰ）及び最新取引量（ＬＴＱ）、或る時に対する若しくは或る期間に対するハイプライス、ロープライスなどの、他の項目を含んでもよい。
【００５３】
ＩＶ．スプレッド取引
合成スプレッド取引のためのヘッジオーダを管理する方法によると、合成スプレッドのためのヘッジオーダは、ヘッジオーダが派生する合成スプレッドに付属するように考慮されてもよく、分離するように考慮されてもよい。例えば、合成スプレッドのトレーダは、合成スプレッドのためのパラメータをセットするスプレッド取引ツールを用いてもよく、その場合、一つ以上のレグが合成スプレッドに付属するものとして若しくは分離するものとして特定される。合成スプレッドオーダから導出されるヘッジオーダは、合成スプレッドオーダに付属しても、分離してもよい。
【００５４】
例えば、合成スプレッドのパラメータが確立され合成スプレッドオーダが投入される。その場合、稼働オーダが少なくとも部分的に充足若しくは実行され、合成スプレッドオーダから導出される関連するヘッジオーダは実行未決でよく若しくはレグされることが考慮されてもよい。関連するヘッジオーダは、未決の若しくは不充足のヘッジオーダの元の量の全部でも一部でもよい。
【００５５】
関連するヘッジオーダが、付属するヘッジオーダとして指定され若しくは特定されるならば、ヘッジオーダは、未決のヘッジオーダが派生する合成スプレッドオーダに対する調整に応じて、調整され得る。例えば、合成スプレッドから派生する、実行が未決である関連するヘッジオーダに対する価格は、関連するヘッジオーだが未決である間、合成オーダに対する価格における変更に応じて、変更される。付属しないヘッジオーダは、未決のヘッジオーダが派生した合成スプレッドオーダに対する変更及び／又は調整により、影響されなくてもよい。
【００５６】
図５は、２つのレグを備えるスプレッドストラテジのためのスプレッド取引ツール（２レグスプレッド）のスプレッドウインドウ５００の例を示す。第１レグはウインドウ５０２に表示され、第２レグはウインドウ５０４に表示される。第１レグウインドウ５０２は、ＦＪＵＮ１０コントラクトのための取引可能オブジェクトに対応し、第２レグウインドウ５０４は、ＦＤＥＣ１０コントラクトに対応する。簡略さ及び明瞭さのために、例示では、スプレッドウインドウ５００及び２つのレグウインドウ５０２、５０４に関して説明しているが、表示されるウインドウの数は、スプレッド内のレグの数、及び／又は、ユーザの好みに依存してよい。どの数のスプレッドのレグも可能である。例えば、スプレッドは、２、３、４若しくはどの数のレグでもよく、ウインドウはスプレッドのレグの各々、全て、一部に対して表示されてもよく、表示されなくてもよい。
【００５７】
スプレッドウインドウ５００は、生成されたスプレッドに対する内部マーケット及びマーケット深さを示す。内部マーケットは、最高ビッド即ち最高ビッド価格、及び最良の売り気配値即ち取引可能オブジェクトに対する最低の売り価格を含む。レグウインドウ５０２、５０４は、個々の取引可能オブジェクトのための内部マーケットも示す。ウインドウ５００、５０２、５０４は、個々のスプレッド／取引可能オブジェクトに対する買いオーダ及び売り気配値オーダのための、買いオーダカラム５０６、５０８、５１０及び売りオーダカラム５１２、５１４、５１６を含む。
【００５８】
インジケータはカラム内に表示される。インジケータは、グラフでも、アイコンでも、カラーコードでも、オーダを表示するためのどんなフォーム若しくはフォーマットでもよい。インジケータは、或る価格の取引可能オブジェクトの量に対して一つ以上のオーダを特定してもよい。オーダは全体のオーダでも部分のオーダでもよい。例えば、インジケータがカラ５０６ム内に設けられ第１レグの取引可能オブジェクトのためのマーケット内の買いオーダを示してもよく、及び／又は、インジケータがカラム５１４内に設けられ第２レグの取引可能オブジェクトのためのマーケット内のダ２の取引可能オブジェクトのための買いオーダを示してもよい。
【００５９】
ウインドウ５００、５０２、５０４は、個々の合成スプレッド／取引可能オブジェクトのための価格レベルを特定するための個々の価格カラム５１８、５２０、５２２を備える。価格レベルは、軸方向に整列してもよく、線形上に整列してもよく、曲線上に整列してもよく、又は、合成スプレッド／取引可能オブジェクトのための価格レベルの進行を示す他のどんな整列であってもよい。価格レベルは、静的でも、動的でも、静的と動的の組み合わせでもよい。例えば、価格レベルの一つ以上は、ウインドウに関して位置を変えなくてもよく、自動生成される命令に応じて位置を変えてもよく、ユーザの命令及び／又は設定に応じてウインドウに関して位置を変えてもよく、マーケットデータ若しくは変更に応じてウインドウに関して位置を変えてもよく、自動命令、ユーザの命令及び／又は設定、マーケットデータなどの任意の組み合わせに応じてウインドウに関して位置を変えてもよく、位置を決して変えなくてもよく、ディスプレイ内でドリフトしてもよく、中央に表示されてもよく、及び／又は、ビッド、オファ、最新取引価格などの興味の対象の項目に重点が置かれてもよい。
【００６０】
インジケータは、価格カラム５１８、５２０、５２２における対応する若しくは関連する価格レベルに沿って配置され、インジケータに対応するオーダのための価格を表し又は特定し得る。図５に示すように、０．９７においてカラム５０８に表示される「２」のためのインジケータは、０．９７の価格におけるスプレッドの第２レグの取引可能オブジェクトのための、２の量に対するマーケット内のオーダを表す。
【００６１】
ディスプレイは、マーケット情報を特定するための更なるフォームを含み得る。或る実施形態では、カラム５３０、５３２、５３４は、取引可能オブジェクトのための最新取引量及び／又は最新取引価格を表すインジケータを表示する。例えば、０．９７の価格レベルにおけるカラム５３２内に表示される「１７」は、スプレッド取引ストラテジの第１レグの取引可能オブジェクトの０．９７の価格における、１７の量に対する最新取引オーダを表す。
【００６２】
ウインドウ５００、５０２、５０４は、個人的好み、設定及び／又は興味に従って、ユーザの興味の一つ以上のアイコン若しくは分野を表示し得る。ユーザにより表示され若しくは隠されるアイコン若しくは項目のうちには、現在時刻を示すシステムクロックを含むこともある。更に、アイコン若しくはボタンは表示されて機能を表し得る。アイコン若しくはボタンは選択されて一つ以上の対応する機能を実行し得る。例えば、ストップマーケット（Ｓｔｏｐ  Ｍａｒｋｅｔ（ＳＭ））ボタン及び／又はストップリミット（Ｓｔｏｐ  Ｌｉｍｉｔ（ＳＬ））ボタンが表示されてもよい。ボタンが選択されストップリミット及びストップマーケットオーダを、夫々可能にしてもよい。「全消去（Ｄｅｌ  Ａｌｌ）」ボタンが設けられマーケットからビッド及びオファが消去されるようにしてもよい。「ビッド消去（Ｄｅｌ  Ｂｉｄｓ）」及び／又は「アスク消去（Ｄｅｌ  Ａｓｋ）」ボタンが選択されマーケットから全てのビッド／アスク（売り呼値）が消去されるようにしてもよい。「ビッド」若しくは「アスク（売り呼値）」を表示する代わりに、個々のボタンが、マーケット内で消去されるべきビッド／アスクの全体数を表す更なるインジケータを含んでもよい。
【００６３】
Ｖ．合成スプレッドインジケータ
カラム５２４、５２６、５２８は、ユーザのための稼働オーダに対するインジケータを設ける。例示では、対応する価格カラム５１８、５２０、５２２の価格レベルにおけるカラム５２４、５２６、５２８内にインジケータが表示され、価格レベルに対応する価格における取引可能オブジェクトの量に対するオーダを特定する。インジケータは、一つ以上の対応するオーダを特定するステータスインジケータなどの、どんなインジケータでもよい。例えば、インジケータは、一つ以上のオーダのステータスを特定するための、数字でも、アイコンでも、グラフでも、カラーコードでも、それらの組み合わせでもよい。
【００６４】
インジケータは、対応するオーダの全て若しくは一部のステータスを特定するのであり、該ステータスは、どれだけの数のオーダが配置され及び／又は未決であるか、オーダの全て若しくは一部が又はどれだけ稼働しているか、未決であるか、レグされるか、オーダ若しくは取引可能オブジェクトが又はそれらのどれだけが買われ、売られ、実行され、完了され、それらが組み合わされしているか、を含む。例えば、レグされた合成スプレッドオーダ、若しくは合成スプレッドオーダのレグされた部分に対するインジケータは、赤色フォントで数字表示され、レグされた合成スプレッドオーダの量を示してもよい。
【００６５】
図５は、取引のために入力され若しくは投入された合成スプレッドのためのオーダを表すインジケータ５３６を示す。インジケータ５３６は、カラム５２４内に位置され及び／又は表示され合成オーダのステータスを示し得る。図示されるように、オーダは−０．０３０の価格においてスプレッドを買うべき、稼働中の２の量（Ｗ  ２）を表し、充足され若しくは完了され、レグされ若しくは実行が未決であるオーダは存在しない、ということをインジケータ５３６は示す。
【００６６】
価格及び量を特定することで、取引のためにオーダが入力され結果としてのオーダが投入されてもよい。オーダは、価格カラム５１８における量及び価格の選択に従って、入力されてもよい。オーダは、量が予め選択され若しくは予め決定されている価格カラムにおける価格の選択に従って、更に若しくは別途、入力されてもよい。価格の選択は、インプットデバイスの一つ以上のクリック又は他の操作若しくは軌道に応じて発生し、或る価格で送信すべき命令を送信してもよい。
【００６７】
ＶＩ．稼働オーダインジケータ
合成スプレッド取引オーダは、合成スプレッドの一つ以上のレグ内に一つ以上のオーダを有してもよい。インジケータがレグ内に表示され、レグのための合成スプレッドの対応する稼働オーダを特定してもよい。
【００６８】
図５は更に、スプレッドの個々のレグ内にインジケータ５３８を示し、そのレグ内の合成スプレッドのための稼働オーダを特定する。インジケータ５３８はステータスインジケータ５３６と同様のものであり、レグの対応する取引可能オブジェクトに対する一つ以上のオーダを表し、アイコンでも、グラフでも、数字でもそれらの組み合わせでもよい。第１レグウインドウ７０２は、価格カラム７２０の０．９７に配置されたインジケータ５３８を含み、第２レグウインドウ５０４は、価格カラム５２２の１．０５におけるインジケータを含む。更に、インジケータ５３８などにより、レグに対する完全なオーダが特定されてもよい。
【００６９】
前述のように、合成スプレッドオーダが入力され、−０．０３０において２の量が買われた。合成スプレッドは３：２の比率で定義されるので、６の量を買うための第１レグ内の指し値オーダが、第１レグ５０２の取引可能オブジェクトに対して０．９７の価格で投入された。更に、合成スプレッドはスプレッドの両方のレグを稼働させるべく確立されるので、４の量に対する第２レグ内の指し値オーダが、第２レグの取引可能オブジェクトに対して１０．５の価格にて投入された。
【００７０】
インジケータは、レグステータスインジケータ５４０などにより、稼働オーダが合成スプレッドと関連するかどうかを特定し得る。例えば、レグステータスインジケータ５４０は、合成スプレッドの第１レグ５０２の０．９７において、及び、第２レグ５０４の１．０５において、配置される。合成スプレッドオーダは、合成スプレッドの稼働オーダと関連してもよく、更に、親子関係に従って合成スプレッドから導出された及び／又は導出されるべきヘッジオーダと関連してもよい。例えば、合成スプレッドオーダは一つ以上の親オーダを備えるように考慮されてもよく、合成スプレッドオーダの個々のレグ内のオーダが、子オーダにより表されてもよく、又は関連してもよい。子の指し値オーダ及びヘッジオーダは、親オーダの一つと関連してもよく、親オーダは多数の子オーダを備えてもよい。親オーダの数は、合成スプレッドのレグの数、合成スプレッドの指し値レグの数、ユーザの好み、それらの組み合わせなどに依存し得る。
【００７１】
図６は、指し値オーダが充足し少なくとも一つの対応するヘッジオーダが非充足である後の、図５の例を示す。例示では、３つの指し値オーダを表す第１レグ内の指し値オーダの一部は充足し、第２レグの内の対応するヘッジオーダの一部も投入されて充足している。更に、合成スプレッドが両方のレグ内で値付けされていたので、第２レグ内の稼働オーダの一部は望ましいものでは無く、従って１．０５における指し値オーダは削除され若しくはキャンセルされている。ヘッジオーダの一部は非充足のままであるので、合成スプレッドオーダ（及びトレーダ）は、レグされるように考慮され得る。更に、非充足のヘッジオーダは、レグされたヘッジオーダとして考慮され得る。
【００７２】
図６内のインジケータ５３６、５３８は、変更を反映する図７内で特定されるオーダに対する、オーダの変更を反映する。合成スプレッドオーダに対する−０．０３０におけるインジケータ５３６は、オーダの一つが稼働し（Ｗ  １）他のオーダがレグされている（Ｌ  １）ことを反映する。第１レグ内の０．９７におけるインジケータ５３８は、３つのオーダが稼働し（Ｗ  ３）３つのオーダが買われた（Ｂ  ３）ことを反映する。インジケータ５３８も１．００にて配置され、対応する稼働オーダの少なくとも部分的な充足に応じて合成オーダから導出されたヘッジオーダが、稼働している（Ｗ  ２）若しくは非充足であるということを表す。更に、第２レグ５０４内の稼働オーダに対する１．０５におけるインジケータ５３８は、ゼロオーダが売られ（Ｓ  ０）２つのオーダが稼働している（Ｗ  ２）ことを反映する。
【００７３】
１．００の価格における非充足のヘッジオーダ５３８に対する識別子は、付属するものとしてヘッジオーダを特定してもよく、分離するものとしてヘッジオーダを特定してもよい。実施形態では、インジケータ５３８は、カラーコードされていてもよく、付属している若しくは分離しているヘッジオーダのステータスを示す、数字の、アルファベットの、及び／又は、英数字の識別子含んでもよい。更なる若しくは別途の実施形態では、インジケータ５４２は、付属するものとして若しくは分離するものとしてヘッジオーダを特定するように、表示され得る。インジケータ５４２は一つ以上のヘッジオーダを表し得、アイコンでも、グラフでも、数字でも、それらの組み合わせでもよい。更に、オーダのためのインジケータ５３８及び／又はインジケータ５４２は、付属するものとして若しくは分離するものとしてオーダの全部又は一部を指定するように選択され得る。
【００７４】
合成スプレッドオーダは、合成スプレッドの一つ以上のレグガレ具される若しくは非充足であるときを含む、その寿命の間、管理され得る。合成スプレッドオーダは、その寿命の間、維持され、調整され、変更され、管理され、レポートされ、若しくは処理されるが、その寿命は、合成スプレッドの全てのオーダが充足し及び／又は削除されたときに概略終了する。
【００７５】
ＶＩＩ．付属する及び分離するヘッジオーダ
合成スプレッドのヘッジオーダを管理する実施形態に従って、非充足のヘッジオーダも、ユーザの好み、及び／又は、ヘッジオーダが派生した合成スプレッドのパラメータに従って、管理され得る。図７は、指し値オーダの一部が充足し、少なくとも一つの対応するヘッジオーダが非充足であり、合成スプレッドに対する価格が変更された後の、図５、図６の例を示す。図示するように、合成スプレッドオーダの価格は−０．０３０から−０．０４０に変更された。合成スプレッドに対する変更は、合成スプレッドオーダに関連するインジケータ５３６を動かすことにより影響を受け、若しくはスプレッド取引ツールにコマンドを入力し合成スプレッドオーダの価格を変更することにより、影響を受け得る。
【００７６】
合成スプレッドオーダの変更に応じて、取引ツールは、非充足の量を有し、合成スプレッドオーダと関連する未決のヘッジオーダを特定し得る。ヘッジオーダが付属するものとして指定されると、スプレッド取引ツールは、未決のヘッジオーダに対応する変更を行い得る。図７の例では、合成スプレッドオーダに対する価格が−０．０４０に変更され、第１レグ内の対応する稼働オーダが０．９７にて充足したので、非充足の量を伴う未決のヘッジオーダの価格は、対応する価格に変更若しくは調整されてもよい。図７は、第２レグ内の未決のヘッジオーダが、１．０１にて表示される対応するインジケータ５３８で示されるように１．００から１．０１の価格に変更されたことを、示す。未決のオーダの価格内の変更は、ヘッジレグの取引可能オブジェクトのための取引所にキャンセル／置換オーダを投入することにより、ヘッジオーダをキャンセルし新しいヘッジオーダを投入することにより、及び／又は、変更メッセージを電子取引所に投入して未決のヘッジオーダの価格を変更することにより、影響され得る。更に、インジケータ５４２は、付属するものとして若しくは分離するものとしてヘッジオーダのステータスを特定するように表示されてもよく、一つ以上のヘッジオーダを表してもよく、更に、アイコンでも、グラフでも、数字でも、それらの組み合わせでもよい。更なる若しくは別途の実施形態では、スプレッド取引ツールは、ヘッジオーダが分離するものとして指定されるように未決のヘッジオーダを変更しなくてもよい。例えば、合成スプレッドオーダに対する価格変更を伴っても、非充足の量を備える未決のヘッジオーダの価格は、調整も変更もされない。
【００７７】
未決のヘッジオーダに対する変更された価格が、ヘッジレグのための内部マーケットに逆らうものであるとき、未決のヘッジオーダの全て若しくは一部は、内部マーケットにて利用可能な量に従って充足され得る。例えば、未決ヘッジオーダの価格が１．００から１．０１に変更され若しくは調整され、内部マーケットが１．０１であり、又は逆のオーダが内部マーケットにて未決であったときは、未決のヘッジオーダが逆のオーダの量に対して充足され得る。従って、未決のヘッジオーダは、合成スプレッドオーダの価格における変更に応じて充足され得る。
【００７８】
オーダブックツールなどの他のツールが、合成スプレッドオーダ及びスプレッドの構成オーダを示すのに用いられ得る。ツールは、合成スプレッド、及び／又は、スプレッドの任意の若しくは全てのレグを、付属するものとして若しくは分離するものとして指定するのにも用いられ得る。更に、合成スプレッドの入力、稼働オーダの投入、及び／又は、ヘッジオーダの投入の前に、又は、それらに引き続いて、オーダのレグが付属状態から分離状態に変更されてもよい。同様に、一つ以上のツールを用いることで影響を受ける合成スプレッドオーダへの変更は、非充足の量を有するヘッジオーダへの対応する変更に影響し得る。
【００７９】
合成スプレッド若しくは投入されたそのヘッジオーダを開始した、自動スプレッダなどのスプレッド取引ツールを用いることで、合成スプレッドへの価格変更が達成され得る。合成オーダの価格が変更されたときなど、投入後合成オーダが調整されたとき、対応するヘッジオーダの一つ以上に対する価格は、親オーダと子オーダの間の関係、スプレッドの定義、及び／又は、ユーザの好み／設定に従って、調整された合成スプレッドオーダの価格を反映するように、調整され得る。
【００８０】
稼働する親オーダに対する量も影響を受け得る。合成スプレッド若しくは投入されたその子オーダを開始した、自動スプレッダなどのスプレッド取引ツールを用いることで、修正された量の選択に従って、量が変更され得る。量は値の範囲内で変更され得る。量に関する制限は、一つ以上のファクタに従って決定され得る。該ファクタは、ユーザの好み／設定、取引所による制限のセット、情報センタ、若しくは他のサードパーティ、及び／又は、規制主体による制限のセットを含む。合成スプレッドオーダの量が入力された後に調整されると、ヘッジオーダの一つ以上に対する量は、スプレッドの関係、定義、及び／又は、設定に従って、調整されてもよい。
【００８１】
更に若しくは一方で、付属するレグされたヘッジオーダの変更は、レグされたヘッジオーダが派生したスプレッド及び／又は稼働オーダへの変更に影響し得る。例えば、レグされたヘッジオーダの価格は、レグされたヘッジオーダのためのウインドウを介して変更され得る。レグされたヘッジオーダが付属し、レグされたヘッジオーダに対する価格における変更が為されると、稼働オーダ及び／又はスプレッドオーダへの対応する変更も影響を受け得る。
【００８２】
図８は、スプレッド構成ウインドウ８００の例を示す。スプレッド構成ウインドウ８００は、合成スプレッドを管理し、及び／又は、合成スプレッドのレグを個別に管理してセットアップするために、合成スプレッドのパラメータを確立し若しくは設定するのに、用いられ得る。パラメータは、内部及び外部スロップ構成、価格選択、スプレッドのレグ、カスタマアカウント、レグを調整するかどうか、オフセット、ペイアップチック、合成スプレッドに対する比率、レグが付属するか若しくは分離するかなどを、含む。確立されるパラメータのタイプ及び数は変動し得る。
【００８３】
スプレッド及び／又はスプレッドのレグに対する対応するデータエントリエリア内に所望の設定を入力し、ドロップダウンメニュから一つ以上のオプションを選択し、選択肢若しくはラジオボタンのアレイ若しくはリストから選択することなどにより、パラメータが設定され得る。更に若しくは一方で、スプレッドウインドウ、レグされたオーダのためのウインドウ、稼働オーダのためのウインドウ、並びに／又は、スプレッド、稼働オーダ及び／若しくはレグされたヘッジオーダを介して、付属状態から分離状態へ、及びその逆に、オーダは変更され得る。図８の例では、スプレッドの両方のレグは、対応する設定８０２を選択することにより、付属するものとして特定されている。スプレッド構成の記述は、米国特許第７４３７３２５号の発明の名称「Ｓｙｓｔｅｍ  ａｎｄ  Ｍｅｔｈｏｄ  ｆｏｒ  Ｐｅｒｆｏｒｍｉｎｇ  Ａｕｔｏｍａｔｉｃ  Ｓｐｒｅａｄ  Ｔｒａｄｉｎｇ」（特許文献１４）に提示されており、該出願は参照の上本明細書に全体として組み込まれる。
【００８４】
上述のシステムに係る方法及び上述の方法は一つ以上のコンピュータ読み取り可能媒体を含むコンピュータプログラムプロダクトに具現化されることは、当業者には明白であろう。例えば、コンピュータ読み取り可能媒体は、格納されたコンピュータ読み取り可能プログラムコードセグメントを備える、ハードドライブデバイス、ＣＤ−ＲＯＭ、ＤＶＤ−ＲＯＭ若しくはコンピュータディスケットなどの、読み取り可能メモリデバイスを含み得る。コンピュータ読み取り可能媒体は、デジタル若しくはアナログデータ信号として担持されるプログラムコードセグメントを備える、光学の、有線の、若しくは無線の、バス若しくは通信リンクなどの、通信若しくは送信媒体を含み得る。
【００８５】
請求項は、そのような効果を発するように記載されない限り、記載の順序若しくは要素に限定して読まれるべきものではない。従って、添付の請求項の範囲及び精神の範囲内にある全ての実施形態及びその均等物は、発明として請求されるものである。
【符号の説明】
【００８６】
１０２・・・クライアントデバイス
１０４・・・電子取引所
１０６・・・ゲートウエイ
１０８・・・ルータ
【図１】
0005925203.tif 000003
【図２】
0005925203.tif 000004
【図３】
0005925203.tif 000005
【図４】
0005925203.tif 000006
【図５】
0005925203.tif 000007
【図６】
0005925203.tif 000008
【図７】
0005925203.tif 000009
【図８】
0005925203.tif 000010